(57)【要約】【課題】扉の外観がスッキリとしたデザインであると共に、扉の断熱性能を確保できる建具とする。【解決手段】採光用の開口部２１を有した金属製の一対の表面板２０間に、ユニット枠３１に透光パネル３２を装着した採光ユニット３０を、そのユニット枠３１が前記開口部２１の周縁部に固着して取付けて、２つの表面板２０の表面２０ａを開口部２１以外の部分を平坦面として扉の外観がスッキリとしたデザインとし、前記ユニット枠３１を面外方向一側面３１ａと面外方向他側面３１ｂとに熱が伝わり難い断熱性を有するものとして、扉の断熱性能を確保できるようにする。【選択図】図１
2010084397.tif 000002
【特許請求の範囲】
【請求項１】
枠体に扉を開閉自在に取付けた建具であって、
前記扉は、金属製で、かつ採光用の開口部を有し、面外方向に離隔した一対の表面板と、
前記一対の表面板間に設けられ、ユニット枠に透光パネルを装着した採光ユニットを備え、
前記ユニット枠の面外方向一側面を、一方の表面板の裏面における開口部の周縁部に固着し、
前記ユニット枠の面外方向他側面を、他方の表面板の裏面における開口部の周縁部に固着し、
前記ユニット枠は、前記面外方向一側面と面外方向他側面とに熱が伝わり難い断熱性を有することを特徴とする建具。
【請求項２】
前記ユニット枠は、樹脂材を用いて成形した成形断熱材によって枠形状とした請求項１記載の建具。
【請求項３】
前記ユニット枠は、一側金属部材と他側金属部材を断熱材で連結した断熱金属枠材によって枠形状とした請求項１記載の建具。
【請求項４】
前記ユニット枠は、樹脂枠材によって枠形状とした請求項１記載の建具。
【発明の詳細な説明】
【技術分野】
【０００１】
本発明は、玄関ドアなどの枠体に扉を開閉自在に取付けた建具に関する。
【背景技術】
【０００２】
従来、枠体に扉を開閉自在に取付けた建具は種々提案されている。
例えば、特許文献１に開示されたように、枠体に扉を開閉自在に取付け、その扉を、室内外一対の金属製の表面板（材）に開口部をそれぞれ形成し、金属枠にガラスパネルを装着したガラスユニットを、前記一対の表面板間に取付けることで、一対の表面板の開口部とガラスパネルが対向し、そのガラスパネルを透して採光できるようにしてある。
【特許文献１】特開２００８−１４４５０２号公報
【発明の開示】
【発明が解決しようとする課題】
【０００３】
前述した従来の建具は、その扉の表面が開口部のみを有した平坦面であるから、外観がスッキリとしたデザインである。
しかし、従来の建具は、その扉における一対の金属製の表面板がガラスユニットの金属枠に接しているので、その金属枠を伝わって一方の表面板と他方の表面板とに熱が伝わり易く、扉の断熱性能を確保できない。
【０００４】
本発明の目的は、扉の外観がスッキリとしたデザインであると共に、扉の断熱性能を確保できる建具とすることを目的とする。
【課題を解決するための手段】
【０００５】
本発明は、枠体に扉を開閉自在に取付けた建具であって、
前記扉は、金属製で、かつ採光用の開口部を有し、面外方向に離隔した一対の表面板と、
前記一対の表面板間に設けられ、ユニット枠に透光パネルを装着した採光ユニットを備え、
前記ユニット枠の面外方向一側面を、一方の表面板の裏面における開口部の周縁部に固着し、
前記ユニット枠の面外方向他側面を、他方の表面板の裏面における開口部の周縁部に固着し、
前記ユニット枠は、前記面外方向一側面と面外方向他側面とに熱が伝わり難い断熱性を有することを特徴とする建具である。
【０００６】
本発明においては、前記ユニット枠は、樹脂材を用いて成形した成形断熱材によって枠形状とすることができる。
【０００７】
本発明においては、前記ユニット枠は、一側金属部材と他側金属部材を断熱材で連結した断熱金属枠材によって枠形状とすることができる。
【０００８】
本発明においては、前記ユニット枠は、樹脂枠材によって枠形状とすることができる。
【発明の効果】
【０００９】
本発明によれば、一対の表面板の表面を、開口部以外の部分が平坦面とすることができるので、扉の外観がスッキリとしたデザインである。
また、採光ユニットのユニット枠は、一方の表面板の裏面に固着した面外方向一側面と、他方の表面板の裏面に固着した面外方向他側面とに熱が伝わり難いので、扉の断熱性能を確保できる。
【発明を実施するための最良の形態】
【００１０】
図１に示すように、枠体１に扉２を開閉自在に取付けて建具としてある。
前記枠体１は上枠１ａと下枠１ｂと左右の縦枠１ｃを方形状に連結してある。
前記扉２は採光部２ａを有している。
この実施の形態では、枠体１に親扉２−１と子扉２−２が図示しないヒンジで面外方向（室内外側方向）に回動自在に取付けた玄関ドアとしてある。
これに限ることはなく、枠体１に１つの扉２をヒンジで面外方向に回動自在に取付けても良いし、枠体１に扉２を面内方向（図１の左右方向）にスライド自在に取付けても良い。
前記枠体１は断熱性を有する。
【００１１】
前記親扉２−１、子扉２−２は図２、図３に示すように、金属製で面外方向に離隔した一対の表面板２０，２０を備え、この各表面板２０は採光用の開口部２１を有し、その開口部２１以外の部分の表面２０ａは平坦面である。
前記一方の表面板２０が面外方向一方側（例えば、室内側）で、他方の表面板２０が面外方向他方側（例えば、室外側）である。
前記一対の表面板２０間には採光ユニット３０が取付けてある。
この採光ユニット３０は、ユニット枠３１内にガラスプレートなどの透光プレート３２を装着してある。そのユニット枠３１の面外方向一側面（例えば、室内面）３１ａが前記一方の表面板２０の裏面２０ｂ（他方の表面板２０に向かう面）における開口部２１の周縁部に固着、例えば接着剤や両面テープなどで接着してあり、前記ユニット枠３１の面外方向他側面（例えば、室外面）３１ｂが前記他方の表面板２０の裏面２０ｂ（一方の表面板２０に向かう面）における開口部２１の周縁部に固着、例えば接着剤や両面テープなどで接着してある。
【００１２】
これにより、親扉２−１、子扉２−２の表面は、開口部２１以外の部分が平坦面で、外観がスッキリとしたデザインである。
【００１３】
前記ユニット枠３１は、面外方向一側面３１ａと面外方向他側面３１ｂとに熱が伝わり難い断熱性を有する。
例えば、ユニット枠３１を樹脂材を用いて成形した成形断熱材によって枠形状としてある。
このようであるから、一方の表面板２０から熱がユニット枠３１を伝わって他方の表面板２０に伝わり難く、親扉２−１、子扉２−２の断熱性能を確保できる。
【００１４】
次に、採光部３０の詳細を図４、図５に基づいて説明する。
前記各表面板２０は、その開口部２１の周縁部に沿って内向片２２を有している。この内向片２２は四周連続している。
例えば、表面板２０に、開口部２１よりも小さな開口を打ち抜き、その開口の周縁部を曲げ加工して四周連続した内向片２２とする。
前記一方の表面板２０の裏面２０ｂにおける開口部２１の周縁部には位置決め片２３が設けてある。この位置決め片２３は、前記内向片２２よりも面内方向外側に位置している。
【００１５】
前記ユニット枠３１は上枠部３３と下枠部３４と左右の縦枠部３５を備え、その各枠部は、その面外方向の中間に内向凹部３３ａ，３４ａ，３５ａを有していると共に、各枠部で方形状のユニット枠３１を形成すると、前記各内向凹部３３ａ，３４ａ，３５ａが四周連続し、その各内向凹部３３ａ，３４ａ，３５ａに前記透光プレート３２が装着してある。
そして、前記上枠部３３、下枠部３４、縦枠部３５を、前記一方の表面板２０の裏面２０ｂに設けた位置決め片２３に接して位置決めし、一方の表面板２０の裏面２０ｂに接着して取付ける。
前記各表面板２０の内向片２２にガスケット２６を装着して透光プレート３２に接して気密、水密する。
【００１６】
前記各表面板２０の上縁部と下縁部は、内向きに折曲し、その折曲片２０ｃが上補強材４０、下補強材４１にビス４２で固着して取付けた樹脂製の上取付材４３、下取付材４４の溝４３ａ，４４ａに押し込んで取付けてある。
前記各表面板２０の縦縁部も内向きに折曲して折曲片２０ｃを有し、その折曲片２０ｃが縦補強材４５と縦化粧材４６との間に樹脂製のスペーサ４７を介して挟持して取付けてある。
これによって、一方の表面板２０の外周縁と他方の表面板２０の外周縁とに亘って熱が伝わり難くしてある。
【００１７】
また、前記ユニット枠３１と上補強材４０、下補強材４１、縦補強材４５と各表面板２０の裏面２０ｂとで空間部２４を形成し、その空間部２４に断熱材、例えば発泡ウレタンが注入して充填してある。この発泡ウレタンは図示していない。
【００１８】
前述の実施の形態では、採光部２ａ（開口部２１）は１つとしたが、複数の採光部２ａを有する扉としても良い。
例えば、図６に示す親扉２−１のように、小さい４つの採光部２ａを上下、左右に間隔を置いて形成し、縦長の２つの採光部２ａを左右に間隔を置いて形成する。
図６に示す子扉２−２のように、小さい７つの採光部２ａを上下方向に間隔を置いて形成する。
【００１９】
この場合には、ユニット枠３１を上枠部３３と下枠部３４と中間部３６で構成し、その中間部３６を図７、図８に示すように、透光パネル挿通用の空間部３６ａを上下面に貫通して有した幅が広く、厚さが薄い筒形状とし、その一側部分３６ｂと他側部分３６ｃに開口３６ｄを、表面板２０の開口部２１と対向して形成した形状とする。
そして、空間部３６ａに透光パネル３２を挿通する。
このようにすれば、複数の採光部２ａに亘って１枚の透光パネル３２を取付けることができる。
【００２０】
前述の実施の形態では、ユニット枠３１を成形断熱材としたが、これに限ることはない。
例えば、図９に示すように、面外方向一側の一側金属枠材５０と面外方向の他側の他側金属枠材５１を断熱材５２で連結した断熱金属枠材を枠形状に連結したものでも良い。
図９において、一側金属枠材５０に連結材５３がビス５４で固着され、この連結材５３は係止片５５を備え、その係止片５５が他側金属枠材５１の係止受片５６と隙間を置いて対向し、火災時等に断熱材５２が溶融したときに係止片５５が係止受片５６に係止して一側金属枠材５０と他側金属枠材５１が分離しないようにしてある。
【００２１】
また、図１０に示すように、ユニット枠３１を樹脂枠材６０を枠形状に連結したものでも良い。
【００２２】
前述した各実施の形態ではユニット枠３１は矩形状であるが、三角形、多角形、円形などでも良い。  
【図面の簡単な説明】
【００２３】
【図１】本発明の実施の形態を示す建具の内観図である。
【図２】図１の扉の縦断面図である。
【図３】図１の扉の横断面図である。
【図４】採光部分の拡大縦断面図である。
【図５】採光部分の拡大横断面図である。
【図６】本発明の第２の実施の形態を示す建具の内観図である。
【図７】図６のＡ−Ａ断面図である。
【図８】図６のＢ−Ｂ断面図である。
【図９】本発明の第３の実施の形態を示す採光部分の横断面図である。
【図１０】本発明の第４の実施の形態を示す採光部分の横断面図である。
【符号の説明】
【００２４】
１…枠体、２…扉体、２ａ…採光部、２０…表面板、２０ａ…表面、２０ｂ…裏面、２１…開口部、２２…内向片、２３…位置決め片、３０…採光ユニット、３１…ユニット枠、３１ａ…面外方向一側面、３１ｂ…面外方向他側面、３２…透光パネル、３３…上枠材、３３ａ…内向凹部、３４…下枠材、３４ａ…内向凹部、３５…縦枠材、３５ａ…内向凹部、５０…一側金属枠材、５１…他側金属枠材、５２…断熱材、６０…樹脂枠材。
【図１】
2010084397.tif 000003
【図２】
2010084397.tif 000004
【図３】
2010084397.tif 000005
【図４】
2010084397.tif 000006
【図５】
2010084397.tif 000007
【図６】
2010084397.tif 000008
【図７】
2010084397.tif 000009
【図８】
2010084397.tif 000010
【図９】
2010084397.tif 000011
【図１０】
2010084397.tif 000012